(57)【要約】【課題】入浴時間を計測するタイマを備えた風呂装置において、入浴時の快適性を向上させる。【解決手段】風呂装置３００は、浴室２００内の人４０の存在の有無を検知する人検知センサ３３と、人４０の浴槽２０への入浴を検知する入浴センサ１１と、人４０の入浴時間を計測するためのタイマと、人検知センサ３３および入浴センサ１１の検知信号に基づいて、タイマの計測を制御する制御部１２とを備える。制御部１２は、入浴センサ１１により人４０が入浴したことが検知されたときに、タイマの計測を開始する。制御部１２は、人検知センサ３３により人４０が在室していることが検知されている状態で、入浴センサ１１により人４０が退浴したことが検知されたときには、タイマの計測を中断するとともに、中断時点でのタイマの計測値を保持する。【選択図】図１
2019095123.tif 000002
【特許請求の範囲】
【請求項１】
風呂装置であって、
浴室内の人の存在の有無を検知する人検知センサと、
浴槽への人の入浴を検知する入浴センサと、
入浴時間を計測するためのタイマと、
前記人検知センサおよび前記入浴センサの検知信号に基づいて、前記タイマの計測を制御する制御部とを備え、
前記制御部は、
前記入浴センサにより人が入浴したことが検知されたときに、前記タイマの計測を開始し、かつ、
前記人検知センサにより人が在室していることが検知されている状態で、前記入浴センサにより人が退浴したことが検知されたときには、前記タイマの計測を中断するとともに、中断時点での前記タイマの計測値を保持する、風呂装置。
【請求項２】
前記制御部は、前記タイマの計測を中断した後、前記入浴センサにより人が入浴したことが検知されたときには、前記中断時点での前記タイマの計測値から前記タイマの計測を再開する、請求項１に記載の風呂装置。
【請求項３】
前記制御部は、前記タイマの計測を中断した後、前記タイマの計測値に基づく入浴時間が短くなるように、前記中断時点での前記タイマの計測値を補正し、
前記入浴センサにより人が入浴したことが検知されたときには、補正された前記タイマの計測値から前記タイマの計測を再開する、請求項１に記載の風呂装置。
【請求項４】
前記制御部は、前記タイマの計測を中断している時間が長くなるほど、前記タイマの計測値に基づく入浴時間がより短くなるように、前記中断時点での前記タイマの計測値を補正する、請求項３に記載の風呂装置。
【請求項５】
前記制御部は、前記タイマの計測を中断した後、前記人検知センサにより人が退室したことが検知されたときには、前記タイマの計測値を初期化する、請求項１から４のいずれか１項に記載の風呂装置。
【請求項６】
前記風呂装置を前記浴室から操作する風呂リモコンをさらに備え、
前記風呂リモコンは、前記タイマの計測値に基づく時間を表示するための表示部を有する、請求項１から５のいずれか１項に記載の風呂装置。
【発明の詳細な説明】
【技術分野】
【０００１】
本発明は、風呂装置に関し、特に、入浴時間を計測するタイマを備えた風呂装置に関する。
【背景技術】
【０００２】
風呂装置の一態様として、たとえば、特開２００１−８２７９９号公報（特許文献１）には、浴槽水位を検出する圧力センサにより浴槽内の人の有無を判定する人有無検出手段と、人有無検出手段における人有りの検出によりタイマをスタートさせて所定時間が経過するまで風呂リモコンを表示し続ける遅延手段とを備えた風呂給湯装置が記載されている。
【０００３】
また、特開２０１２−１０７７６７号公報（特許文献２）には、浴槽水位の変化に基づいて浴槽内に人有りと判定されると、人有りと判定されてからの経過時間である入浴時間を入浴タイマーでカウントする風呂給湯装置が記載されている。特許文献２では、入浴タイマーがカウントしている入浴時間を、風呂リモコンの液晶ディスプレイに表示する。
【先行技術文献】
【特許文献】
【０００４】
【特許文献１】特開２００１−８２７９９号公報
【特許文献２】特開２０１２−１０７７６７号公報
【発明の概要】
【発明が解決しようとする課題】
【０００５】
上記特許文献１および２に記載される風呂給湯装置はいずれも、浴槽への人の入浴が検出されると、タイマにおける計測を開始する構成となっている。特許文献２では、タイマが計測している入浴時間とともに、予め設定された適切な入浴時間を表示することで、人の利便性の向上を図っている。また、入浴時間が予め設定された上限時間に達すると、風呂リモコンの液晶ディスプレイに警告を表示することで、人が上限時間よりも長い時間入浴することを抑制している。
【０００６】
しかしながら、上記のように、浴槽内の人の有無を判定してタイマにおける計測を行なう構成においては、人が浴槽から出た場合に、浴槽に人がいないと判定されてタイマの計測値が初期化されることになる。そのため、例えば、浴槽から出た人が浴室内で身体を洗い終えて再び入浴したときには、浴槽に人有りの検出に従って、タイマが初期値から入浴時間の計測を開始することになる。この場合、再入浴後に風呂リモコンの液晶ディスプレイに表示される入浴時間は、実入浴時間に比べて短くなってしまうため、表示される入浴時間に誘導されて、結果的に人が設定時間よりも長時間入浴してしまうおそれがある。これにより、人の身体に負担がかかってしまい、人の快適感を低下させることが懸念される。
【０００７】
この発明は、上記課題に鑑みてなされたものであり、その目的は、入浴時間を計測するタイマを備えた風呂装置において、入浴時の快適性を向上させることである。
【課題を解決するための手段】
【０００８】
この発明のある局面では、風呂装置は、浴室内の人の存在の有無を検知する人検知センサと、浴槽への人の入浴を検知する入浴センサと、入浴時間を計測するためのタイマと、人検知センサおよび入浴センサの検知信号に基づいて、タイマの計測を制御する制御部とを備える。制御部は、入浴センサにより人が入浴したことが検知されたときに、タイマの計測を開始する。制御部は、人検知センサにより人が在室していることが検知されている状態で、入浴センサにより人が退浴したことが検知されたときには、タイマの計測を中断するとともに、中断時点でのタイマの計測値を保持する。
【０００９】
上記風呂装置によれば、人が退浴したときに、タイマにおける入浴時間の計測を中断するとともに、中断時点の計測値を保持することにより、人が再び入浴したときには、中断時点の計測値から入浴時間の計測を再開することができる。これにより、実入浴時間を正確に計測することができるため、人に対して、正確な入浴時間を知らせることができ、結果的に設定時間に基づいた適切な入浴を推奨することができる。よって、長時間の入浴による人の身体への負担を軽減でき、人に快適感を与えることができる。
【００１０】
上記風呂装置において好ましくは、制御部は、タイマの計測を中断した後、入浴センサにより人が入浴したことが検知されたときには、中断時点でのタイマの計測値からタイマの計測を再開する。
【００１１】
これによると、浴室内で人が入浴と退浴とを繰り返した場合においても、人の実入浴時間を正確に計測することができるため、人に対して、正確な入浴時間を知らせることができる。
【００１２】
上記風呂装置において好ましくは、制御部は、タイマの計測を中断した後、タイマの計測値に基づく入浴時間が短くなるように、中断時点でのタイマの計測値を補正する。制御部は、入浴センサにより人が入浴したことが検知されたときには、補正されたタイマの計測値からタイマの計測を再開する。
【００１３】
これによると、人が退浴後に再び入浴した時点において、タイマの計測値に基づく入浴残り時間は、実入浴時間に基づく入浴残り時間よりも長くなっている。したがって、再入浴した後に長時間の入浴を求める人にも対応することができる。よって、入浴時の快適性を向上させることができる。
【００１４】
上記風呂装置において好ましくは、制御部は、タイマの計測を中断している時間が長くなるほど、タイマの計測値に基づく入浴時間がより短くなるように、中断時点でのタイマの計測値を補正する。
【００１５】
これによると、浴槽から出ていた時間が長くなり、再入浴後に長時間の入浴を求める人にも対応することができるため、入浴時の快適性を向上させることができる。
【００１６】
上記風呂装置において好ましくは、制御部は、タイマの計測を中断した後、人検知センサにより人が退室したことが検知されたときには、タイマの計測値を初期化する。
【００１７】
これによると、人が退浴した段階ではタイマの計測値が初期化されず、人が退室したことによってタイマの計測値が初期化されることになるため、人が浴室内で入浴と退浴とを繰り返した場合においても入浴時間を正確に計測することができる。
【００１８】
上記風呂装置において好ましくは、風呂装置は、風呂装置を浴室から操作する風呂リモコンをさらに備える。風呂リモコンは、タイマの計測値に基づく時間を表示するための表示部を有する。
【００１９】
これによると、風呂リモコンを通じて、人に対して、正確な入浴時間を知らせることができる。
【発明の効果】
【００２０】
この発明によれば、入浴時間を計測するタイマを備えた風呂装置において、入浴時の快適性を向上させることができる。
【図面の簡単な説明】
【００２１】
【図１】本発明の実施の形態１に係る風呂装置の構成を示す概略図である。
【図２】図１に示すコントローラの構成を説明するための機能ブロック図である。
【図３】浴室リモコンの表示部の表示例を示す図である。
【図４】実施の形態１に係る風呂装置におけるタイマの計測動作を説明するための図である。
【図５】実施の形態１に係る風呂装置におけるタイマの計測動作の処理手順を説明するためのフローチャートである。
【図６】実施の形態２に係る風呂装置のタイマにおける計測動作を説明するための図である。
【図７】実施の形態２に係る風呂装置におけるタイマの計測動作の処理手順を説明するためのフローチャートである。
【図８】実施の形態２の変形例に係る風呂装置のタイマにおける計測動作を説明するための図である。
【図９】実施の形態２の変形例に係る風呂装置におけるタイマの計測動作の処理手順を説明するためのフローチャートである。
【発明を実施するための形態】
【００２２】
以下に、本発明の実施の形態について図面を参照して詳細に説明する。なお、以下では図中の同一または相当部分には同一符号を付して、その説明は原則的に繰返さないものとする。
【００２３】
［実施の形態１］
図１は、本発明の実施の形態１に係る風呂装置の構成を示す概略図である。
【００２４】
図１を参照して、実施の形態１に係る風呂装置３００は、熱源機１００を備える。風呂装置用浴槽（以下、単に「浴槽」と称す）２０は、浴室２００に設置され、かつ人４０が入浴するための浴槽である。本実施の形態の熱源機１００は、浴槽２０に湯水２１を供給可能なものである。
【００２５】
熱源機１００は、筐体１、バーナ２（燃焼部）、ファン３、熱交換器４、給水配管５、給湯配管６、混合弁７、循環路８、温度センサ９、ポンプ１０、水位センサ１１、コントローラ１２、二方弁１３、電気配線１４、スイッチ１５、浴室リモコン３０、および人検知センサ３３を備える。
【００２６】
筐体１は、筐体１内外に連通するように設けられ、燃焼ガスを排気するための排気口１ａを有している。筐体１は、バーナ２、ファン３、熱交換器４、給水配管５、給湯配管６、混合弁７、温度センサ９、ポンプ１０、水位センサ１１、コントローラ１２および、二方弁１３を収容可能に構成されている。また、筐体１は、循環路８の一部を収容可能に構成されている。
【００２７】
バーナ２は、図示しない燃料供給系から燃料ガスの供給を受けて燃焼動作するように構成される。バーナ２は、燃焼ガスを熱交換器４に供給する。バーナ２は、給湯用のバーナ２ａと、追焚用のバーナ２ｂとを有する。
【００２８】
熱交換器４は、給湯用の熱交換器４ａと、追焚用の熱交換器４ｂとを有する。熱交換器４ａ，４ｂは、それぞれ、熱源機１００の高さ方向においてバーナ２ａ，２ｂよりも上方に配置されている。熱交換器４ａ，４ｂは、排気口１ａの近傍に配置されている。
【００２９】
熱交換器４ａは、バーナ２ａによって供給された燃焼ガスの熱を回収する。熱交換器４ｂは、バーナ２ｂによって供給された燃焼ガスの熱を回収する。熱交換器４ａ，４ｂの各々は、バーナ２の燃焼ガスの顕熱（燃焼熱）により入水を熱交換によって加熱する、一次熱交換器と、バーナ２からの燃焼排ガスの潜熱によって通流された水を熱交換によって加熱する、二次熱交換器とを含んでいてもよい。
【００３０】
熱交換器４ａの一方端に給水配管５が接続されており、他方端に給湯配管６が接続されている。給水配管５は、入水口５ａから熱交換器４ａに水道水等を給水する。給湯配管６は、熱交換器４ａから出湯口６ａに熱交換器４で加熱された湯水を給湯する。これにより、給水配管５から給水された水道水等は、熱交換器４ａによって所定温度（たとえば、ユーザによる設定温度）まで加熱されて給湯配管６から出湯される。給湯配管６に出湯された湯は、台所や浴室２００等の給湯栓（図示せず）または戻り配管８ａなどの所定の給湯箇所に給湯される。なお、給水配管５と給湯配管６とは混合弁７に接続されている。
【００３１】
ファン３は、バーナ２に燃焼用の空気を供給する。ファン３は、バーナ２ａに燃焼用の空気を供給するファン３ａと、バーナ２ｂに燃焼用の空気を供給するファン３ｂとを有する。ファン３ａ，３ｂの各々は、羽根と、羽根を回転させるためのモータとを有する。モータに電流が印加されることにより羽根が回転して燃焼用の空気を供給するように構成されている。ファン３ａ，３ｂは、それぞれ、熱源機１００の高さ方向においてバーナ２ａ，２ｂの下方に配置されている。
【００３２】
循環路８は、浴槽２０に接続された状態で浴槽２０の湯水２１を循環するためのものであり、戻り配管８ａおよび往き配管８ｂを有する。戻り配管８ａは熱交換器４ｂの入力側と接続されており、往き配管８ｂは熱交換器４ｂの出力側と接続されている。
【００３３】
戻り配管８ａは、浴槽２０から熱交換器４ｂに湯水２１を供給する。往き配管８ｂは、熱交換器４ｂから浴槽２０に、熱交換器４ｂで暖められた湯水２１を供給する。これにより、浴槽２０から熱交換器４ｂに供給された湯水２１は、熱交換器４ｂを通流する際に燃焼ガスによって加熱されて再び浴槽２０に供給される。
【００３４】
戻り配管８ａには、温度センサ９、ポンプ１０および水位センサ１１が接続されている。戻り配管８ａと給湯配管６とは二方弁１３に接続されている。二方弁１３は、給湯配管６から湯水を戻り配管８ａに供給するように構成されている。二方弁１３を開くことにより、給湯配管６から戻り配管８ａを経由して、所定温度に加熱された湯が浴槽２０に導入される。
【００３５】
温度センサ９は、循環路８内の湯水２１の温度を検知することによって、浴槽２０内の湯水２１の温度（以下、浴槽湯温とも称する）を検知する。温度センサ９は、たとえばサーミスタである。
【００３６】
ポンプ１０は、浴槽２０および循環路８に湯水を循環させる。ポンプ１０が作動すると、浴槽２０からの湯水２１は、戻り配管８ａ、熱交換器４ｂおよび往き配管８ｂを経由して、浴槽２０へ至る経路を循環する。これにより、浴槽２０と熱交換器４ｂとの間に湯水２１を循環させる追焚循環回路が形成される。
【００３７】
水位センサ１１は、循環路８を循環する湯水２１の水圧に基づいて、浴槽２０の湯水２１の水位を検知する。水位センサ１１は、たとえば圧力センサである。本実施の形態では、後述するように、水位センサ１１は、人４０が入浴したことを検知するための「入浴センサ」を兼ね備えている。
【００３８】
コントローラ１２は、浴室リモコン３０からのユーザ等の入力設定操作に基づき、風呂装置３００がユーザ指示に従って運転されるように、熱源機１００の動作を制御する。たとえば、コントローラ１２は、マイクロコンピュータおよびメモリを含んで構成することができる。
【００３９】
コントローラ１２は、バーナ２ａ，２ｂ、ファン３ａ，３ｂ、温度センサ９、ポンプ１０、水位センサ１１、二方弁１３、電気配線１４、スイッチ１５および浴室リモコン３０に電気的に接続されている。電気配線１４は、図示しない電源に接続されることにより、コントローラ１２に電力を供給するように構成されている。
【００４０】
スイッチ１５は、水位センサ１１を駆動させる。人検知センサ３３が人４０が浴室２００に入室したことを検知した場合にスイッチ１５が導通（オン）状態にされ、人検知センサ３３が人４０が浴室２００から退室したことを検知した場合にスイッチ１５が遮断（オフ）状態にされるように構成されている。水位センサ１１は、スイッチ１５がオン状態のときに駆動されて浴槽２０の湯水２１の水位を検知し、検知した水位を示す信号をコントローラ１２に出力する。
【００４１】
浴室リモコン３０は、浴室２００に設置されており、熱源機１００を操作するためのものである。浴室リモコン３０は、情報を表示するための表示部３１と、ユーザ等の入力設定操作を受け付けるための操作部３２と、情報を音声で報知するための音声出力部３４とを含む。
【００４２】
表示部３１は、浴槽２０の湯水２１の水位および温度を表示可能に構成されている。表示部３１は、また、人４０が浴槽２０に入っている場合において、コントローラ１２内のタイマで計測される、人４０が浴槽２０に入っている時間（以下、「入浴時間」とも称する。）を表示可能に構成されている。
【００４３】
操作部３２は、浴槽２０の湯水２１の水位および温度に関する設定操作を受け付け可能に構成されている。
【００４４】
音声出力部３４は、入浴時間が予め定められている設定時間に達したことを、人４０に対して音声で報知可能に構成されている。設定時間は、たとえば、温度センサ９により検知された浴槽湯温、および水位センサ１１により検知された浴槽２０の湯水２１の水位等に基づいて算出された、適切な入浴時間である。あるいは、設定時間は、温度センサ９により検知された浴槽湯温、および水位センサ１１により検知された浴槽２０の湯水２１の水位等に基づいて算出された、入浴時間の上限時間である。
【００４５】
人検知センサ３３は、たとえば、浴室リモコン３０のケースに設けられている。人検知センサ３３は、浴室２００内の人の存在の有無を検知するように構成されている。人検知センサ３３は、たとえば焦電型赤外線センサである。焦電型赤外線センサは、物体の動作等によって視野内に熱エネルギの変化が生じたときに検知信号を発生する。このため、浴室２００内で人が動くと、これに応じて検知信号が発生される。人検知センサ３３は、浴室リモコン３０のケースに内蔵されて、ケースに設けられた開口部から浴室２００内を視野内に収めるように配置される。人検知センサ３３は、焦電型赤外線センサに限定されず、たとえば、電波センサおよび超音波センサであってもよい。
【００４６】
また、人検知センサ３３は、たとえば、浴室２００の天井に設置された浴室暖房機（図示せず）のケースに設けられてもよい。あるいは、人検知センサ３３は、たとえば、浴室２００の照明のスイッチのように、入室時に人が操作するスイッチであってもよい。
【００４７】
図２は、図１に示すコントローラ１２の構成を説明するための機能ブロック図である。
図２を参照して、コントローラ１２は、在室判定部１２０、水位判定部１２２、温度判定部１２４、制御部１２６、およびタイマ１２８を備える。
【００４８】
在室判定部１２０は、人検知センサ３３から送信される検知信号に基づいて、浴室２００に人が入室したか、あるいは浴室２００から人が退室したかを判定する。在室判定部１２０は、また、人検知センサ３３から送信される検知信号に基づいて、浴室２００内に人が在室しているか、あるいは不在であるがを判定する。たとえば、人検知センサ３３が焦電型赤外線センサである場合には、在室判定部１２０は、周囲の温度状況から熱エネルギの変化があったときに浴室２００に人が入室したものと判定する。また、在室判定部１２０は、所定時間継続して熱エネルギの変化がない場合に浴室２００から人が退室したものと判定する。
【００４９】
水位判定部１２２は、水位センサ１１から送信される検知信号に基づいて、人が浴槽２０に入ったか（入浴したか）、あるいは、人が浴槽２０から出たか（退浴したか）を判定する。水位判定部１２２は、浴槽２０に対する注水等が無いにもかかわらず、水位センサ１１が浴槽２０の水位の上昇を検知した場合、人が浴槽２０に入った（すなわち、人が入浴した）と判定する。また、人が入浴したと判定した後に、水位センサ１１が浴槽２０の水位の低下を検知した場合、人が浴槽２０から出た（すなわち、人が退浴した）と判定する。
【００５０】
温度判定部１２４は、温度センサ９により検知される戻り配管８ａを流れる湯水２１の温度に基づいて、浴槽２０の湯水２１の温度（浴槽湯温）を判定する。
【００５１】
制御部１２６は、在室判定部１２０、水位判定部１２２および温度判定部１２４における判定結果に基づいて、バーナ２ａ，２ｂ、ファン３ａ，３ｂ、ポンプ１０および二方弁１３の動作を制御する。具体的には、制御部１２６は、水位判定部１２２で判定される浴槽２０の水位が設定水位になるように二方弁１３を動作させて給湯配管６から湯水２１を浴槽２０に供給する。また、制御部１２６は、在室判定部１２０で人の浴室２００への入室が判定されたことに基づいて、温度判定部１２４で判定される浴槽湯温が設定温度になるようにバーナ２ａ、ファン３ａおよびポンプ１０を動作させて湯水２１を加熱する。
【００５２】
タイマ１２８は、人が浴槽２０に入っている時間（入浴時間）を計測するためのものである。制御部１２６は、在室判定部１２０および水位判定部１２２における判定結果に基づいて、タイマ１２８の計測動作を制御する。具体的には、制御部１２６は、在室判定部１２０で人の入室が判定された後、水位判定部１２２で人の入浴が判定されたことに基づいて、タイマ１２８の計測を開始させる。
【００５３】
タイマ１２８は、初期値を０として計測値を１ずつ増加させていくカウントアップ方式により、入浴時間を計測してもよい。カウントアップ方式では、タイマ１２８の計測値は入浴時間に相当しており、計測値が設定時間となった場合にタイマ１２８が満了と判定される。
【００５４】
あるいは、タイマ１２８は、初期値を設定時間として計測値を１ずつ減少させていくカウントダウン方式により、入浴時間を計測してもよい。カウントダウン方式では、タイマ１２８の計測値は、入浴時間が設定時間となるまでの残り時間に相当しており、計測値が０となった場合にタイマ１２８が満了と判定される。
【００５５】
タイマ１２８の計測中、制御部１２６は、タイマ１２８の計測値に基づく時間を、浴室リモコン３０の表示部３１に表示する。タイマ１２８をカウントアップ方式のタイマとする場合、表示部３１は、タイマ１２８の計測値に基づく時間として、入浴時間を表示することができる。タイマ１２８をカウントダウン方式のタイマとする場合、表示部３１は、設定時間までの残り時間（以下、「入浴残り時間」とも称する。）を表示することができる。
【００５６】
図３は、浴室リモコン３０の表示部３１の表示例を示す図である。図３では、タイマ１２８にカウントダウン方式のタイマを採用しているものとする。
【００５７】
図３を参照して、浴室リモコン３０の表示部３１には、タイマ１２８の計測値に基づいて、設定時間までの残り時間（入浴残り時間）が表示されている。表示部３１は、たとえば、入浴残り時間を示す文字または画像を表示する。表示部３１は、入浴残り時間とともに、現在時刻、給湯温度、浴槽２０の水位、および設定時間を表示してもよい。
【００５８】
なお、表示部３１は、人が入浴中であるときに入浴残り時間を表示する一方で、人が入浴していないとき、たとえば、人が浴室２００内で身体を洗っているときには、別の情報を表示し、入浴残り時間を表示させないようにしてもよい。
【００５９】
人は、入浴中、浴室リモコン３０の表示部３１に表示された入浴残り時間を見ることにより、適切な退浴のタイミングを認識することができる。なお、入浴中にタイマ１２８が満了したとき、すなわち、入浴時間が設定時間に達したときには、制御部１２６は、表示部３１および音声出力部の少なくとも一方を用いて、人に対して、入浴時間が設定時間に達したことを報知する。これにより、人に対して退浴を促すことができるため、長時間の入浴による身体への負担を減らすことができる。
【００６０】
図２に戻って、制御部１２６は、タイマ１２８の計測中において、水位判定部１２２で人の退浴が判定されたときには、タイマ１２８の計測を中断する。このとき、制御部１２６は、タイマ１２８の計測を中断するとともに、中断時点でのタイマ１２８の計測値を保持する。
【００６１】
さらに、制御部１２６は、タイマ１２８の計測を中断した後、在室判定部１２０で人の退室が判定されると、タイマ１２８の計測を終了するとともに、タイマ１２８の計測値を初期化する。
【００６２】
図４は、実施の形態１に係る風呂装置３００におけるタイマ１２８の計測動作を説明するための図である。図４では、タイマ１２８にカウントダウン方式のタイマを採用しているものとする。図４には、人検知センサ３３からの検知信号、水位センサ１１からの検知信号、およびタイマ１２８の計測値の時間的変化が例示されている。
【００６３】
図４を参照して、時刻ｔ０にて、人検知センサ３３からの検知信号に基づいて、人の浴室２００への入室が検知されたものとする。
【００６４】
時刻ｔ０に続く時刻ｔ１にて、水位センサ１１からの検知信号に基づいて、人が入浴したことが検知されると、タイマ１２８における入浴時間の計測が開始される。タイマ１２８は、初期値Ｃ０を設定時間として、計測値を減少させていく。入浴中、浴室リモコン３０の表示部３１には、タイマ１２８の計測値に基づいて、入浴残り時間が表示される（図３参照）。
【００６５】
次に、時刻ｔ２にて、水位センサ１１からの検知信号に基づいて、人の退浴が検知されると、タイマ１２８の計測が中断される。計測を中断した時点（時刻ｔ２）におけるタイマ１２８の計測値Ｃ１が保持される。
【００６６】
時刻ｔ２より後の時刻ｔ３にて、水位センサ１１からの検知信号に基づいて、人の入浴が検知されると、タイマ１２８における入浴時間の計測が再開される。タイマ１２８は、中断時点（時刻ｔ２）での計測値Ｃ１から計測を再開する。
【００６７】
時刻ｔ３より後の時刻ｔ４にて、水位センサ１１からの検知信号に基づいて、人の退浴が検知されると、タイマ１２８の計測が中断されるとともに、中断時点（時刻ｔ４）におけるタイマ１２８の計測値Ｃ２が保持される。
【００６８】
時刻ｔ４に続く時刻ｔ５にて、人検知センサ３３からの検知信号に基づいて、浴室２００からの人の退室が検知されると、タイマ１２８の計測が終了される。タイマ１２８の計測値は初期化され、初期値Ｃ０になる。
【００６９】
このように、人の退浴が検知されるとタイマ１２８における入浴時間の計測が中断され、計測を中断した後、人の入浴が再び検知されると、中断時点での計測値から入浴時間の計測が再開される。したがって、人が浴槽２０に入っている時間（入浴時間）を正確に計測することができる。
【００７０】
また、タイマ１２８の計測値を初期化するタイミングを、浴室２００からの人の退室が検知された時点としているため、人が退浴したときにタイマ１２８の計測値が初期化されることがない。これによれば、たとえば、人が浴室２００内で身体を洗うために浴槽２０から出た場合には、タイマ１２８の計測値が初期化されることなく、浴槽２０から出た時点での計測値が保持される。
【００７１】
上記の場合において、人が浴槽２０から出た時点でタイマ１２８の計測値が初期化されるとすると、身体を洗い終えた人が再び入浴したときに、タイマ１２８は初期値Ｃ０から計測を開始することになる。その結果、再入浴後に浴室リモコン３０の表示部３１に表示される入浴残り時間は、設定時間から実入浴時間を差し引いた、真の入浴残り時間に比べて長くなってしまう。そのため、表示される入浴残り時間に誘導されて、人が本来の設定時間よりも長時間入浴してしまうおそれがある。その結果、人の身体に負担がかかってしまい、入浴時の快適感を低下させることが懸念される。
【００７２】
これに対して、本実施の形態に係る風呂装置３００では、人が再び入浴した後に浴室リモコン３０の表示部３１に表示される入浴残り時間を、真の入浴残り時間に一致させることができる。そのため、人が設定時間を超えて入浴する可能性を減らすことができ、結果的に人の身体への負担を軽減することができる。
【００７３】
図５は、本実施の形態１に係る風呂装置におけるタイマ１２８の計測動作の処理手順を説明するためのフローチャートである。図５に示す処理は、コントローラ１２によって実行することができる。
【００７４】
図５を参照して、コントローラ１２は、ステップＳ０１により、人検知センサ３３の検知信号に基づいて、人が浴室２００に入室したか否かを判定する。人の入室が検知されるまで（Ｓ２０のＮＯ判定時）、ステップＳ０２以降の処理は実行されない。
【００７５】
コントローラ１２は、人の入室が検知されると（Ｓ０１のＹＥＳ判定時）、ステップＳ０２により、水位センサ１１の検知信号に基づいて、人が入浴したか否かを判定する。人の入浴が検知されるまで（Ｓ０２のＮＯ判定時）、ステップＳ０３以降の処理は実行されない。
【００７６】
コントローラ１２は、人の入浴が検知されると（Ｓ０２のＹＥＳ判定時）、ステップＳ０３により、タイマ１２８による入浴時間の計測を開始する。タイマ１２８の計測中、コントローラ１２は、浴室リモコン３０の表示部３１に、タイマ１２８の計測値に基づく時間（入浴時間または入浴残り時間）を表示する。
【００７７】
コントローラ１２は、さらに、ステップＳ０４により、水位センサ１１の検知信号に基づいて、人が退浴したか否かを判定する。人の退浴が検知されない場合（Ｓ０４のＮＯ判定時）、コントローラ１２は、ステップＳ０８に進み、タイマ１２８における入浴時間の計測を継続する。計測中、コントローラ１２は、ステップＳ０９により、タイマ１２８が満了したか否かを判定する。タイマ１２８が満了していなければ（Ｓ０９のＮＯ判定時）、ステップＳ０８に戻り、タイマ１２８における計測を継続する。
【００７８】
一方、タイマ１２８が満了した場合（Ｓ０９のＹＥＳ判定時）には、コントローラ１２は、ステップＳ１０により、浴室リモコン３０の表示部３１および音声出力部３４の少なくとも一方を用いて、入浴時間が設定時間に達したことを人に報知する。
【００７９】
ステップＳ０４に戻って、人の退浴が検知されると（Ｓ０４のＹＥＳ判定時）、コントローラ１２は、ステップＳ０５により、タイマ１２８の計測を中断する。コントローラ１２は、中断時点でのタイマ１２８の計測値を保持する。
【００８０】
次に、コントローラ１２は、ステップＳ０６により、人検知センサ３３の検知信号に基づいて、人が浴室２００から退室したか否かを判定する。人の退室が検知されない場合（Ｓ０６のＮＯ判定時）、コントローラ１２は、ステップＳ１１に進み、水位センサ１１の検知信号に基づいて、人が入浴したか否かを判定する。人の入浴が検知されない場合（Ｓ１１のＮＯ判定時）、コントローラ１２は、ステップＳ０５に戻り、タイマ１２８における計測中断を継続する。
【００８１】
一方、人の入浴が検知されると（Ｓ１１のＹＥＳ判定時）、コントローラ１２は、ステップＳ１２に進み、タイマ１２８における入浴時間の計測を再開するとともに、処理をステップＳ０４に戻す。ステップＳ１２により、タイマ１２８は、中断時点での計測値から入浴時間の計測を再開する。
【００８２】
ステップＳ０６にて人の退室が検知されると（Ｓ０６のＹＥＳ判定時）、コントローラ１２は、ステップＳ０７により、タイマ１２８の計測値を初期化する。
【００８３】
このように、本実施の形態１に係る風呂装置によれば、人が退浴したときに、タイマにおける入浴時間の計測を中断するとともに、中断時点の計測値を保持することにより、人が再び入浴したときには、中断時点の計測値から入浴時間の計測を再開することができるため、実入浴時間を正確に計測することができる。これにより、入浴中の人に対して、正確な入浴時間を知らせることができるため、設定時間に基づいた適切な入浴を推奨することができる。この結果、長時間の入浴による人の身体への負担を軽減して、人に快適感を与えることができる。
【００８４】
［実施の形態２］
実施の形態２では、タイマ１２８における入浴時間の計測の他の構成例について説明する。なお、実施の形態２に係る風呂装置３００の構成は、図１に示した実施の形態１に係る風呂装置３００の構成と同じであるため、詳細な説明は繰返さない。
【００８５】
図６は、実施の形態２に係る風呂装置３００のタイマ１２８における計測動作を説明するための図であって、図４と対比される図である。図６では、図４と同様、タイマ１２８にカウントダウン方式のタイマを採用しているものとする。図６には、人検知センサ３３からの検知信号、水位センサ１１からの検知信号、およびタイマ１２８の計測値の時間的変化が例示されている。
【００８６】
図６を参照して、時刻ｔ０にて人の浴室２００への入室が検知された後、時刻ｔ１にて人が入浴したことが検知されると、タイマ１２８における入浴時間の計測が開始される。入浴中、浴室リモコン３０の表示部３１には、タイマ１２８の計測値に基づいて、入浴残り時間が表示される（図３参照）。
【００８７】
時刻ｔ２にて、水位センサ１１からの検知信号に基づいて、人の退浴が検知されると、タイマ１２８の計測が中断される。計測を中断した時点（時刻ｔ２）におけるタイマ１２８の計測値Ｃ１が保持される。
【００８８】
時刻ｔ２より後の時刻ｔ３にて、水位センサ１１からの検知信号に基づいて、人の入浴が検知されると、タイマ１２８における入浴時間の計測が再開される。本実施の形態２では、入浴時間の計測を再開する際に、制御部１２６は、タイマ１２８が保持している計測値Ｃ１を補正する。
【００８９】
具体的には、図６に示すように、制御部１２６は、保持しているタイマ１２８の計測値Ｃ１を、より大きい計測値Ｃ３に補正する。これは、時刻ｔ３での入浴残り時間を、より長い時間に補正することに相当する。言い換えれば、タイマ１２８の計測値に基づく入浴時間を、人の実入浴時間よりも短くなるように、タイマ１２８の計測値Ｃ１を補正する。
【００９０】
人が退浴した時点（時刻ｔ２）から再び入浴する時点（時刻ｔ３）までの時間（たとえば、浴室２００内で身体を洗っている時間）の長さや浴室２００内の温度などによっては、当該時間に人の体温が低下してしまうことがある。このような場合には、人が再び入浴した後に、冷えた身体を暖めるために長時間の入浴を求めることがある。本実施の形態２では、人が再入浴した時点で、タイマ１２８の計測値に対して、入浴時間を短くする（言い換えれば、入浴残り時間を長くする）補正を行なうことで、このような人の要求に対応することができる。よって、人の快適性を向上させることができる。
【００９１】
なお、タイマ１２８の計測値の補正量（図６では（Ｃ３−Ｃ１）に相当）は、固定値であってもよいし、タイマ１２８が計測を中断している時間の長さに応じて調整してもよい。この場合、計測を中断している時間が長くなるほど、タイマ１２８の計測値に基づく入浴時間と実入浴時間との差が大きくなるように、中断時点でのタイマ１２８の計測値Ｃ１を補正する。図６の例では、計測を中断している時間が長くなるにつれて、補正量（Ｃ３−Ｃ１）が大きくなり、結果的に入浴残り時間が長くなることになる。
【００９２】
あるいは、計測を中断している時間が所定の閾値時間以下の場合はタイマ１２８の計測値の補正を行なわず（すなわち、補正量を０とする）、計測を中断している時間が閾値時間を超えた場合に、タイマ１２８の計測値の補正を行なうようにしてもよい。この構成では、タイマ１２８とは別のタイマを設けて、該タイマを用いて計測を中断した時点からの時間を計測し、該タイマの計測値に基づいて補正量を調整する。
【００９３】
浴室リモコン３０の表示部３１には、補正された入浴残り時間が表示される。そして、補正された入浴残り時間が０に達したとき、すなわち補正された入浴時間が設定時間に達したときには、表示部３１および音声出力部３４の少なくとも一方から人に対して、入浴時間が設定時間に達したことが報知される。
【００９４】
図７は、実施の形態２に係る風呂装置におけるタイマ１２８の計測動作の処理手順を説明するためのフローチャートである。図７に示す処理は、コントローラ１２によって実行することができる。
【００９５】
図７に示すフローチャートは、図５に示すフローチャートに対して、ステップＳ１１Ａを追加したものである。ステップＳ１１にて水位センサ１１からの検知信号に基づいて、人の入浴が検知されると（Ｓ１１のＹＥＳ判定時）、コントローラ１２は、ステップＳ１１Ａにより、保持しているタイマ１２８の計測値を補正する。図６に示したように、コントローラ１２は、タイマ１２８の計測値に基づく入浴時間が、人の実入浴時間よりも短くなるように、タイマ１２８の計測値を補正する。続いて、ステップＳ１２により、タイマ１２８は、補正された計測値から入浴時間の計測を再開する。
【００９６】
（変形例）
図６および図７では、人が再入浴した時点でタイマ１２８の計測値を補正する構成について説明したが、図８に示すように、人が浴槽２０から出ている時間（タイマ１２８が計測を中断している時間）に、タイマ１２８の計測値を補正してもよい。
【００９７】
図８は、実施の形態２の変形例に係る風呂装置３００のタイマ１２８における計測動作を説明するための図であって、図６と対比される図である。図８では、図６と同様、タイマ１２８にカウントダウン方式のタイマを採用しているものとする。図８には、人検知センサ３３からの検知信号、水位センサ１１からの検知信号、およびタイマ１２８の計測値の時間的変化が例示されている。
【００９８】
図８を参照して、時刻ｔ０にて人の浴室２００への入室が検知された後、時刻ｔ１にて人が入浴したことが検知されると、タイマ１２８における入浴時間の計測が開始される。入浴中、浴室リモコン３０の表示部３１には、タイマ１２８の計測値に基づいて、入浴残り時間が表示される（図３参照）。
【００９９】
時刻ｔ２にて、水位センサ１１からの検知信号に基づいて、人の退浴が検知されると、タイマ１２８の計測が中断される。計測を中断した時点（時刻ｔ２）におけるタイマ１２８の計測値Ｃ１が保持される。
【０１００】
時刻ｔ２以降、制御部１２６は、タイマ１２８の計測値Ｃ１を補正する。具体的には、制御部１２６は、退浴した時点（時刻ｔ２）からの経過時間とともに、タイマ１２８の計測値Ｃ１を増加させる。図８に示すように、タイマ１２８は、人が退浴した時点で、実質的に、カウントダウンからカウントアップに切替わる。なお、カウントアップの速度（計測値の時間変化率）の大きさは、カウントダウンの速度の大きさ以下の値に設定することができる。
【０１０１】
なお、図示は省略するが、タイマ１２８がカウントアップ方式のタイマである場合には、人が退浴した時点で、カウントアップからカウントダウンに切替わることになる。
【０１０２】
本変形例では、人が退浴した時点からの経過時間が長くなるほど、タイマ１２８の計測値Ｃ１はより大きい値に補正されることになる。これは、退浴した時点からの経過時間が長くなるほど、入浴残り時間を、より長い時間に補正することに相当する。言い換えれば、退浴した時点からの経過時間が長くなるほど、タイマ１２８の計測値に基づく入浴時間を、より短い時間に補正することに相当する。
【０１０３】
これにより、時刻ｔ３にて人が再び入浴したことが検知されると、補正された計測値Ｃ３から入浴時間の計測が再開される。本変形例によれば、計測を中断している時間が長くなるほど、タイマ１２８の計測値に基づく入浴時間と実入浴時間との差が大きくなるように、中断時点でのタイマ１２８の計測値Ｃ１が補正される。したがって、浴槽２０から出ている時間が長くなり、再入浴後に長時間の入浴を求める人にも対応することができるため、入浴時の快適性を向上させることができる。
【０１０４】
図９は、実施の形態２の変形例に係る風呂装置におけるタイマ１２８の計測動作の処理手順を説明するためのフローチャートである。図９に示す処理は、コントローラ１２によって実行することができる。
【０１０５】
図９に示すフローチャートは、図５に示すフローチャートに対して、ステップＳ０５Ａを追加したものである。人が退浴したことに基づいて（ステップＳ０４のＹＥＳ判定時）、ステップＳ０５にてタイマ１２８の計測を中断すると、コントローラ１２は、ステップＳ０５Ａにより、中断時点でのタイマ１２８の計測値を補正する。図８に示したように、コントローラ１２は、計測を中断している時間が長くなるほど、タイマ１２８の計測値に基づく入浴時間と実入浴時間との差が大きくなるように、中断時点でのタイマ１２８の計測値を補正する。
【０１０６】
次に、コントローラ１２は、ステップＳ０６により、人検知センサ３３の検知信号に基づいて、人が浴室２００から退室したか否かを判定する。人の退室が検知されると（Ｓ０６のＹＥＳ判定時）、コントローラ１２は、ステップＳ０７により、タイマ１２８の計測値を初期化する。
【０１０７】
一方、人の退室が検知されない場合（Ｓ０６のＮＯ判定時）、コントローラ１２は、ステップＳ１１に進み、水位センサ１１の検知信号に基づいて、人が入浴したか否かを判定する。人の入浴が検知されない場合（Ｓ１１のＮＯ判定時）、コントローラ１２は、ステップＳ０５に戻り、タイマ１２８における計測中断を継続する。
【０１０８】
これに対して、人の入浴が検知されると（Ｓ１１のＹＥＳ判定時）、コントローラ１２は、ステップＳ１２に進み、タイマ１２８における入浴時間の計測を再開するとともに、処理をステップＳ０４に戻す。ステップＳ１２により、タイマ１２８は、補正された計測値から入浴時間の計測を再開する。
【０１０９】
このように、本実施の形態２に係る風呂装置によれば、人の退浴時にタイマにおける入浴時間の計測を中断した後、中断時点での計測値を、タイマの計測値に基づく入浴時間が人の実入浴時間よりも短くなるように補正することで、人が再び入浴したときには、補正された計測値から入浴時間の計測が再開される。これによれば、再入浴した時点での入浴残り時間は、実入浴時間に基づく入浴残り時間よりも長くなるため、再入浴した後に長時間の入浴を求める人にも対応することができる。よって、入浴時の快適性を向上させることができる。
【０１１０】
なお、上述した実施の形態１および２では、風呂装置の熱源機１００として、追焚用のバーナ２ｂの燃焼熱との熱交換により浴槽２０の湯水を加熱する構成を例示したが、熱源機の構成はこのような構成に限定されるものではない。たとえば、給湯および暖房の同時運転が可能な複合熱源機または、ヒートポンプ式の熱源機などを用いることが可能である。
【０１１１】
今回開示された実施の形態はすべての点で例示であって制限的なものではないと考えられるべきである。本発明の範囲は上記した説明ではなくて特許請求の範囲よって示され、特許請求の範囲と均等の意味および範囲内でのすべての変更が含まれることが意図される。
【符号の説明】
【０１１２】
１  筐体、２，２ａ，２ｂ  バーナ、３，３ａ，３ｂ  ファン、４，４ａ，４ｂ  熱交換器、５  給水配管、５ａ  入水口、６  給湯配管、６ａ  出湯口、７  混合弁、８  循環路、８ａ  戻り配管、８ｂ  往き配管、９  温度センサ、１０  ポンプ、１１  水位センサ、１２  コントローラ、１３  二方弁、１４  電気配線、２０  浴槽、２１  湯水、３０  浴室リモコン、３１  表示部、３２  操作部、３３  人検知センサ、３４  音声出力部、４０  人、１００  熱源機、１２０  在室判定部、１２２  水位判定部、１２４  温度判定部、１２６  制御部、１２８  タイマ、２００  浴室、３００  風呂装置。
【図１】
2019095123.tif 000003
【図２】
2019095123.tif 000004
【図３】
2019095123.tif 000005
【図４】
2019095123.tif 000006
【図５】
2019095123.tif 000007
【図６】
2019095123.tif 000008
【図７】
2019095123.tif 000009
【図８】
2019095123.tif 000010
【図９】
2019095123.tif 000011